(57)【要約】      （修正有）【課題】幼児でも箸ケースから容易に箸を取り出すことができる箸ケースを提供する。【解決手段】箸ケース本体２と蓋体３からなり、箸ケース本体２は、取手５と箸置き部９からなる箸ケースであって、箸置き部９は底面の周辺に、箸が落ちないように側壁６を設け、その側壁６の一部に左右対称の、切り欠き部７を設け、その切り欠き部７には、箸がズレ落ちないように側壁６より低い切り欠き側壁７１を備える。【選択図】図１
0003166152.tif 000002
【実用新案登録請求の範囲】
【請求項１】
箸ケース本体２と蓋体３からなり、箸ケース本体２は、取手５と箸置き部９からなる箸ケースであって、箸置き部９は底面の周辺に、箸が落ちないように側壁６を設け、その側壁６の一部に左右対称で、８ｃｍ以上の幼児の握り拳より大きめの切り欠き部７を設け、その切り欠き部７には、箸がズレ落ちないように側壁６の高さより低い切り欠き側壁７１を備えたことを特徴とする箸ケース。
【請求項２】
箸ケースの底面と側壁６が接している角にアール形状に丸みをもたせたアール部１０を備え、これより、幼児が切り欠き部７を通して手で箸を握ったときに、箸が切り欠き側壁７１に当たり引っかかることなくスムーズに箸を取り出せるようにしたことを特徴とする請求項１記載の箸ケース。
【請求項３】
箸ケース本体２と蓋体３からなり、箸ケース本体２は、取手５と箸置き部９からなる箸ケースであって、箸置き部９は底面の周辺に、箸が落ちないように側壁６を設け、その側壁６の一部に左右対称で、８ｃｍ以上の幼児の握り拳より大きめの切り欠き部７を設け、その切り欠き部７は、箸ケースの底面と同じ高さとし、手で箸を握って、スムーズに箸を取り出せるようにしたことを特徴とする箸ケース。
【請求項４】
箸ケースの底面に、箸ケース本体の長手方向とは略直角に高さ１ｍｍ以上の長尺状の突起１１を備え、箸を箸ケースの底面から少し浮き上がらせて、幼児が切り欠き部７から箸を容易に取り出せるようにしたことを特徴とする箸ケース。
【考案の詳細な説明】
【技術分野】
【０００１】  本発明は、幼児が箸ケースから箸を取りやすくした箸ケースに関する。
【背景技術】
【０００２】    従来の箸ケース本体は、箸が落ちないように側壁で囲まれている。
【先行技術文献】
【特許文献】
【０００３】
【特許文献１】実用新案登録第３０２０２８３号
【考案の概要】
【考案が解決しようとする課題】
【０００４】１）幼児が箸ケースから箸を取り出すときに、この側壁が邪魔になり容易に箸を取り出すことができない
２）同じ高さの側壁に囲まれており、蓋のスライドを止める目印がないため、幼児は箸ケースの蓋を止める位置がわからず、勢いよく蓋を開け中の箸を落としてしまう。もしくは箸が取り出せない位置で蓋を開けるのを止め、無理に中の箸を取り出す。
【課題を解決するための手段】
【０００５】箸ケース本体２と蓋体３からなり、箸ケース本体２は、取手５と箸置き部９からなる箸ケースであって、箸置き部９は底面の周辺に、箸が落ちないように側壁６を設け、その側壁６の一部に左右対称で、８ｃｍ以上の幼児の握り拳より大きめの切り欠き部７を設け、その切り欠き部７には、箸がズレ落ちないように側壁６の高さより低い切り欠き側壁７１を備えたことを特徴とする箸ケース。【０００６】箸ケースの底面と側壁６が接している角にアール形状に丸みをもたせたアール部１０を備え、これにより、幼児が切り欠き部７を通して手で箸を握ったときに、箸が切り欠き側壁７１に当たり引っかかることなくスムーズに箸を取り出せるようにしたことを特徴とする請求項１記載の箸ケース。【０００７】箸ケース本体２と蓋体３からなり、箸ケース本体２は、取手５と箸置き部９からなる箸ケースであって、箸置き部９は底面の周辺に、箸が落ちないように側壁６を設け、その側壁６の一部に左右対称で、８ｃｍ以上の幼児の握り拳より大きめの切り欠き部７を設け、その切り欠き部７は、箸ケースの側面と同じ高さとし、手で箸を握って、スムーズに箸を取り出せるようにしたことを特徴とする箸ケース。
【考案の効果】
【０００８】箸ケースの底面に、箸ケース本体の長手方向とは略直角に高さ１ｍｍ以上の長尺状の突起１１を備え、箸を箸ケースの底面から少し浮き上がらせて、幼児が切り欠き部７から箸を容易に取り出せるようにしたことを特徴とする箸ケース。【０００９】箸ケース本体２の側壁６に切り欠きが入っていることにより、箸を手で握り容易に取り出せ、切り欠き部の終点８が目印となり、蓋のスライドを止めることができ、自然に箸が取り出しやすい位置を示すことができる。
【図面の簡単な説明】
【００１０】
【図１】本考案の箸ケースの構成（実施例１  切り欠き側壁付）  （ａ）箸ケースの外観構成  （ｂ）箸ケースの内部構成
【図２】本考案の箸ケース本体の断面（実施例２  底面と側壁の角をアールにする）  （ａ）箸ケース本体の構成  （ｂ）Ａ−Ａ断面図
【図３】本考案の箸ケースの構成（実施例３  切り欠き側壁なし）
【図４】本考案の箸ケース本体の断面（実施例４  長尺状の突起）  （ａ）箸ケース本体の構成  （ｂ）Ｂ−Ｂ断面図
【考案を実施するための形態】
【００１１】以下、本考案の箸ケースの３つの実施例について説明する。
【実施例１】
【００１２】  図１は、本考案の実施例１の箸ケースの構成（切り欠き側壁付）である。（ａ）は箸ケースの外観構成、（ｂ）は箸ケースの内部構成を示す。
本考案の箸ケース１は、箸ケース本体２と蓋体３からなる、箸ケース本体２は、取手５と箸置き部９からなる。箸置き部９は底面の周辺に、箸が落ちないように側壁６を設けている。その側壁６の一部に左右対称で、幼児の握り拳より大きめの切り欠き部７（８ｃｍ以上）を設け、その切り欠き部７には、箸がズレ落ちないように側壁６の高さより低い切り欠き側壁７１を備える。左右対称の切り欠き部７は幼児が箸を手で握りやすくするための役割と箸ケース蓋体３をスライドさせるときの止める位置の目印となる。
【実施例２】
【００１３】  図２は、本考案の実施例２の箸ケース本体の断面（底面と側壁の角をアール形状にする）である。（ａ）は箸ケース本体の構成、（ｂ）はＡ−Ａ断面図を示す。底面と側壁が接している角にアール形状に丸みをもたせたアール部１０をもたせ、これにより、幼児が切り欠き部７を通して手で箸を握ったときに、図１の実施例１のように箸が切り欠き側壁７１に当たり引っかかることなくスムーズに箸を取り出せる。
【実施例３】
【００１４】  図３は、本考案の箸ケースの実施例３の構成（切り欠き側壁なし）の箸ケース本体の構成を示す。
この場合は、図１と図２に示すような切り欠き部７の切り欠き側壁７１はなく、箸ケースの切り欠き部７は底面と同じ高さになり、手で箸を握ったときに、箸が切り欠き側壁７に当たり引っかかることなくスムーズに箸を取り出せる。
【実施例４】
【００１５】図４は、本考案の実施例４の箸ケース本体の断面（長尺状の突起）である。箸ケースの底面に、箸ケース本体の長手方向とは略直角に高さ１ｍｍ以上の長尺状の突起１１を備え、箸ケースの底面から少し浮き上げると、幼児が切り欠き部７から箸を容易に取り出すことができる。
【産業上の利用可能性】
【００１６】幼児の箸の使い方、箸ケースの使い方が向上し、食育に役立つ
【符号の説明】
【００１７】１    箸ケース
２    ケース本体
３    蓋体
４    蓋部
５    取手
６    側壁
７    切り欠き部
７１  切り欠き側壁
８    切り欠き部終点
９    箸置き部
１０  アール部
１１  長尺状の突起
【図１】
0003166152.tif 000003
【図２】
0003166152.tif 000004
【図３】
0003166152.tif 000005
【図４】
0003166152.tif 000006
【手続補正書】
【提出日】平成22年11月26日(2010.11.26)
【手続補正１】
【補正対象書類名】実用新案登録請求の範囲
【補正対象項目名】請求項４
【補正方法】変更
【補正の内容】
【請求項４】
箸ケースの底面に、箸ケース本体の長手方向とは略直角に高さ１ｍｍ以上の長尺状の突起１１を備え、箸を箸ケースの底面から少し浮き上がらせて、幼児が切り欠き部７から箸を容易に取り出せるようにしたことを特徴とする請求項１記載の箸ケース。